(57)【要約】【課題】コネクタ部材同士の仮嵌合の位置決めを容易に行うことができるコネクタを提供する。【解決手段】第１コンタクト３６が設けられた第１ハウジング１４を有する第１コネクタ部材１２と、前記第２コンタクト８０が設けられた第２ハウジング５４を有する第２コネクタ部材５２と、を有し、第１コネクタ部材１２と第２コネクタ部材５２が着脱自在とされたコネクタ１０であって、第１ハウジング１４は、一対の長尺な面２０、２２と、一対の短尺な面２４、２６とを有し、一対の短尺な面２４、２６の少なくとも一方は、ガイド部３４を有しており、第２ハウジング５４は、第１ハウジング１４が嵌入される側に、ガイド部３４が回転自在にガイドされる被ガイド部７８を有し、第１コネクタ部材１２と第２コネクタ部材５２は、ガイド部３４と被ガイド部７８とが当接された状態で、回転移動されることで、位置決めが行われる構成となっている。【選択図】図８
2018078015.tif 000002
【特許請求の範囲】
【請求項１】
少なくとも１つの第１コンタクトと、前記第１コンタクトが設けられた第１ハウジングを有する第１コネクタ部材と、前記第１コンタクトと接触される少なくとも１つの第２コンタクトと、前記第２コンタクトが設けられた第２ハウジングを有する第２コネクタ部材と、を有し、前記第１コネクタ部材と前記第２コネクタ部材が着脱自在とされたコネクタであって、
前記第１ハウジングは、一対の長尺な面と、一対の短尺な面とを有し、前記一対の短尺な面の少なくとも一方は、ガイド部を有しており、
前記第２ハウジングは、前記第１ハウジングが嵌入される側に、前記ガイド部が回転自在にガイドされる被ガイド部を有し、
前記第１コネクタ部材と前記第２コネクタ部材は、前記ガイド部と前記被ガイド部とが当接された状態で、回転移動されることで、位置決めが行われる構成となっていることを特徴とするコネクタ。
【請求項２】
前記第２ハウジングの前記被ガイド部は、曲面状に形成されていることを特徴とする請求項１に記載のコネクタ。
【請求項３】
前記ガイド部は、前記第１ハウジングの一方の前記長尺の面と他方の前記長尺の面との間に亘って曲面状に形成されていることを特徴とする請求項１又は２に記載のコネクタ。
【請求項４】
前記第２ハウジングの前記被ガイド部の前記第１ハウジングが嵌入される側には、曲面に沿って傾斜状に面取りがされていることを特徴とする請求項１〜３のいずれかに記載のコネクタ。
【請求項５】
前記第２ハウジングは、前記第１ハウジングが嵌入される嵌入溝部と、前記嵌入溝部を囲うように形成された囲い部と、を有し、
前記囲い部の前記嵌入溝部側であって、前記第１ハウジングの前記ガイド部が嵌入される側に、前記被ガイド部を有し、
前記第２ハウジングの前記囲い部の前記被ガイド部が形成された部分の高さは、他の部分の高さに比べて高く形成されていることを特徴とする請求項１〜４のいずれかに記載のコネクタ。
【請求項６】
前記第１ハウジングの中央部分には、窪んだ嵌入凹部が形成されており、
前記第２ハウジングの前記嵌入溝部の中央部分には、前記第１コネクタ部材と前記第２コネクタ部材が接続される場合に、前記嵌入凹部に嵌入される嵌入凸部が形成されていることを特徴とする請求項５に記載のコネクタ。
【請求項７】
前記第１コネクタ部材及び前記第２コネクタ部材は、それぞれ嵌合される側とは異なる面に基板が取り付けられていることを特徴とする請求項１〜６のいずれかに記載のコネクタ。
【請求項８】
前記第１コネクタ部材には、電線が装着されており、
前記第２コネクタ部材には、基板が取り付けられていることを特徴とする請求項１〜４のいずれかに記載のコネクタ。
【発明の詳細な説明】
【技術分野】
【０００１】
本発明は、一方の第１コネクタ部材と他方の第２コネクタ部材との嵌合を容易に行うことができる構造を有するコネクタに関する。
【背景技術】
【０００２】
下記特許文献１には、異なる基板に実装される二つのコネクタの相互接続において、安定した接続を行うことができるコネクタ装置の発明が開示されている。下記特許文献１に開示されたコネクタ装置の発明では、第１の接触部を有した第１のコンタクトが配列される第１のコネクタと、第１の接触部に係合するための第２の接触部を有した第２のコンタクトが配列されるとともに基板の実装面に実装される第２のコネクタと、を嵌合させて電気的に相互接続するコネクタ装置であって、第１のコネクタは、略平行する外側面に第１の接触部を配設した略直方体状で前記嵌合方向を突起方向とする突起部と、外側面に略対向して位置する内壁面を含む略板状の外壁部と、を備えており、第２のコネクタは、前記嵌合状態において突起部の外側面と外壁部の内壁面との間に介在し得るとともに略平行する内側面に第２の接触部を配設した並列する略板状のコンタクト保持部を備えており、並列するコンタクト保持部の間には、前記嵌合状態において嵌挿された突起部の頂上面が実装面に近接し得るように前記嵌合方向に貫通する突起部収容穴が形成されている、ことを特徴としている。
【先行技術文献】
【特許文献】
【０００３】
【特許文献１】特開２０００−２２３１８５号公報
【発明の概要】
【発明が解決しようとする課題】
【０００４】
一方のコネクタ部材と他方のコネクタ部材を嵌合させる場合において、例えば、基板に取り付けられた状態で嵌合させたり、各種の装置の筐体の内側等の目視が困難な場所で嵌合させたりするように、作業者の目視が困難な場合がある。このような場合は、嵌合させる各コネクタ部材のそれぞれの片側の端部を初めに位置を合わせた後、仮嵌合させ、反対側を押し込み、本嵌合が行われている。
【０００５】
しかしながら、各コネクタ部材の端側が角形状で形成させている場合、回転方向にずれた状態で位置合わせがされた後、嵌合される位置に向かって回転させると、角部が引っ掛かり、嵌合位置に合わせることが困難となると共に、無理に回転させると、コネクタ部材が破損する恐れがある。
【０００６】
また、上記引用文献１に記載のコネクタ装置のように、ガイド穴（４６）及びガイドポスト（８３）を設けた場合でも、仮嵌合を行う際の端部には角部が形成されているため、回転させることが困難となり、破損するおそれがある。さらに、上記引用文献１のコネクタ装置のように、ガイド穴（４６）及びガイドポスト（８３）を設けると、コネクタ自体が大型化する課題もある。
【０００７】
本発明の目的は、第１コネクタ部材及び第２コネクタ部材の端部を曲面形状とし、位置合わせや仮嵌合の際に回転可能な構成とすることで、円滑な嵌合を行うことができるコネクタを提供することである。
【課題を解決するための手段】
【０００８】
上記課題を解決するために、本発明の第１の態様のコネクタは、少なくとも１つの第１コンタクトと、前記第１コンタクトが設けられた第１ハウジングを有する第１コネクタ部材と、前記第１コンタクトと接触される少なくとも１つの第２コンタクトと、前記第２コンタクトが設けられた第２ハウジングを有する第２コネクタ部材と、を有し、前記第１コネクタ部材と前記第２コネクタ部材が着脱自在とされたコネクタであって、
前記第１ハウジングは、一対の長尺な面と、一対の短尺な面とを有し、前記一対の短尺な面の少なくとも一方は、ガイド部を有しており、
前記第２ハウジングは、前記第１ハウジングが嵌入される側に、前記ガイド部が回転自在にガイドされる被ガイド部を有し、
前記第１コネクタ部材と前記第２コネクタ部材は、前記ガイド部と前記被ガイド部とが当接された状態で、回転移動されることで、位置決めが行われる構成となっていることを特徴とする。
【０００９】
また、第２の態様のコネクタは、第１の態様のコネクタにおいて、前記第２ハウジングの前記被ガイド部は、曲面状に形成されていることを特徴とする。
【００１０】
また、第３の態様のコネクタは、第１又は第２の態様のコネクタにおいて、前記ガイド部は、前記第１ハウジングの一方の前記長尺の面と他方の前記長尺の面との間に亘って曲面状に形成されていることを特徴とする。
【００１１】
また、第４の態様のコネクタは、第１〜第３のいずれかの態様のコネクタにおいて、前記第２ハウジングの前記被ガイド部の前記第１ハウジングが嵌入される側には、曲面に沿って傾斜状に面取りがされていることを特徴とする。
【００１２】
また、第５の態様のコネクタは、第１〜第４のいずれかの態様のコネクタにおいて、前記第２ハウジングは、前記第１ハウジングが嵌入される嵌入溝部と、前記嵌入溝部を囲うように形成された囲い部と、を有し、
前記囲い部の前記嵌入溝部側であって、前記第１ハウジングの前記ガイド部が嵌入される側に、前記被ガイド部を有し、
前記第２ハウジングの前記囲い部の前記被ガイド部が形成された部分の高さは、他の部分の高さに比べて高く形成されていることを特徴とする。
【００１３】
また、第６の態様のコネクタは、第５の態様のコネクタにおいて、前記第１ハウジングの中央部分には、窪んだ嵌入凹部が形成されており、
前記第２ハウジングの前記嵌入溝部の中央部分には、前記第１コネクタ部材と前記第２コネクタ部材が接続される場合に、前記嵌入凹部に嵌入される嵌入凸部が形成されていることを特徴とする。
【００１４】
また、第７の態様のコネクタは、第１〜第６のいずれかの態様のコネクタにおいて、前記第１コネクタ部材及び前記第２コネクタ部材は、それぞれ嵌合される側とは異なる面に基板が取り付けられている。
【００１５】
また、第８の態様のコネクタは、第１〜第４のいずれかの態様のコネクタにおいて、前記第１コネクタ部材には、電線が装着されており、
前記第２コネクタ部材には、基板が取り付けられていることを特徴とする。
【発明の効果】
【００１６】
第１の態様のコネクタによれば、第１コネクタ部材と第２コネクタ部材の嵌合の際に、回転方向にずれて仮嵌合された場合であっても、第１ハウジングに形成されたガイド部が第２ハウジングに形成された被ガイド部を軸に回転移動することができる構成となっていることで、仮嵌合の位置決めを容易に行うことができるようになる。
【００１７】
第２の態様のコネクタによれば、第２ハウジングの被ガイド部が曲面状に形成されていることで、第１ハウジングのガイド部を円滑に回転移動させることができ、位置決めをより簡単に行うことができるようになる。
【００１８】
第３の態様のコネクタによれば、第１ハウジングのガイド部は、嵌入される面のすべてが曲面状に形成されており、角形状が存在しないため、第２ハウジングのガイド部に引っ掛かることなく、移動させることができるようになる。
【００１９】
第４の態様のコネクタによれば、第１コネクタ部材と第２コネクタ部材を嵌合させる際に、第１ハウジングのガイド部が第２ハウジングの被ガイド部に誘い込まれやすくなる。
【００２０】
第５の態様のコネクタによれば、第２ハウジングの被ガイド部が形成された部分の囲い部が他の部分より高く形成されることで、第１ハウジングのガイド部と当接させやすくなり、仮嵌合を行いやすくなる。
【００２１】
第６の態様のコネクタによれば、第１ハウジングの嵌入凹部と第２ハウジングの嵌入凸部とは嵌め合わされることで、第１コネクタ部材と第２コネクタ部材の嵌合を強固にすることができる。
【００２２】
第７の態様のコネクタによれば、基板が取り付けられた第１コネクタ部材と第２コネクタ部材を嵌合させる場合、基板により目視が困難であっても、第１ハウジングのガイド部が第２ハウジングの被ガイド部に誘い込まれることで、容易に位置合わせを行うことができる。
【００２３】
第８の態様のコネクタによれば、電線が装着された第１コネクタ部材と基板が取り付けられた第２コネクタ部材の嵌合を容易に行うことができる。
【図面の簡単な説明】
【００２４】
【図１】図１Ａは実施形態に係るコネクタを構成する第１コネクタ部材の斜視図であり、図１Ｂは実施形態に係るコネクタを構成する第２コネクタ部材の斜視図である。
【図２】図２Ａは第１コネクタ部材の平面図であり、図２Ｂは底面図である。
【図３】図３Ａは第１コネクタ部材の正面図であり、図３Ｂは一方から見た側面図であり、図３Ｃは図２ＡのIIIC−IIIC線での断面図である。
【図４】図４Ａは第１コネクタ部材を構成する第１コンタクトの斜視図であり、図４Ｂは他の方向から見た斜視図であり、図４Ｃは図２ＡのIVC−IVC線での断面図である。
【図５】図５Ａは第２コネクタ部材の平面図であり、図５Ｂは底面図である。
【図６】図６Ａは第２コネクタ部材の正面図であり、図６Ｂは一方から見た側面図であり、図６Ｃは図５ＡのVIC−VIC線での断面図である。
【図７】図７Ａは第２コネクタ部材を構成する第２コンタクトの斜視図であり、図７Ｂは他の方向から見た斜視図であり、図７Ｃは図５ＡのVIIC−VIIC線での断面図である。
【図８】図８Ａは第１コネクタ部材と第２コネクタ部材の嵌合の仮嵌合（位置決め）を説明する正面図であり、図８Ｂは平面図であり、図８Ｃは図８ＢのVIIIC部を拡大した拡大図である。
【図９】図９Ａは第１コネクタ部材と第２コネクタ部材の嵌合を説明する正面図であり、図９Ｂは図９ＡのIXＢ部を拡大した拡大図である。
【図１０】図１０Ａは第１コネクタ部材と第２コネクタ部材の嵌合後を示す平面図であり、図１０Ｂは図１０ＡのXB−XB線での断面図であり、図１０Ｃは図１０ＡのXC−XC線での断面図である。
【図１１】図１１Ａは第１コネクタ部材の他の構成を説明する一部を示した平面図であり、図１１Ｂは底面図であり、図１１Ｃは一方から見た側面図である。
【図１２】実施形態のコネクタの応用例のコネクタを示す斜視図である。
【発明を実施するための形態】
【００２５】
以下、図面を参照して本発明の実施形態を説明する。但し、以下に示す実施形態は、本発明の技術思想を具体化するためのコネクタを例示するものであって、本発明をこれに特定することを意図するものではなく、特許請求の範囲に含まれるその他の実施形態のものにも等しく適応し得るものである。
【００２６】
［実施形態］
図１〜図１０を参照して、実施形態に係るコネクタ１０について説明する。実施形態のコネクタ１０は、図１Ａに示すように、複数の第１コンタクト３６と、これらの第１コンタクト３６が設けられた第１ハウジング１４と、を有する第１コネクタ部材１２と、図２Ｂに示すように、複数の第２コンタクト８０と、これらの第２コンタクト８０が設けられた第２ハウジング５４と、を有する第２コネクタ部材５２と、で構成され、第１コネクタ部材１２と第２コネクタ部材５２とが着脱自在となるように構成されている（図１０参照）。
【００２７】
また、実施形態のコネクタ１０は、第１コネクタ部材１２及び第２コネクタ部材５２が、それぞれ基板１００ａ、１００ｂに取り付けられており、第１コネクタ部材１２と第２コネクタ部材５２を接続させることで、基板１００ａと基板１００ｂが接続されるようになる。
【００２８】
このとき、第１コネクタ部材１２が有する第１コンタクト３６が基板１００ａに接続され、第２コネクタ部材５２が有する第２コンタクト８０が基板１００ｂに接続されるようになり、第１コネクタ部材１２と第２コネクタ部材５２を接続させることで、第１コンタクト３６と第２コンタクト８０がそれぞれ接触し、各基板１００ａ、１００ｂが接続されるようになる。
【００２９】
次に、図１Ａ、図２〜図４を参照して、第１コネクタ部材１２について説明する。第１コネクタ部材１２は、複数の第１コンタクト３６と、これらの第１コンタクト３６がそれぞれ取り付けられる直方体状の第１ハウジング１４と、で構成された、いわゆるプラグ型のコネクタ部材となっている。また、第１コネクタ部材１２は、一方側が基板１００ａに載置され、他方側が第２コネクタ部材５２と接続されるようになる。
【００３０】
まず、図２、図３、図４Ｃを参照して第１ハウジング１４について説明する。第１ハウジング１４は、第２コネクタ部材５２と接続される側の第１上面１６と、基板に載置される側の第１底面１８と、一対の長尺の面としての第１前面２０及び第１後面２２と、一対の短尺の面としての一方の第１側面２４及び他方の第１側面２６とを有する略直方体状であって、例えば、樹脂材料で一体に形成されている。
【００３１】
また、第１ハウジング１４は、略中央部分に第１上面１６側から第１底面１８側に向かって凹んだ嵌入凹部３２が形成されている。この嵌入凹部３２は、後述する第２ハウジング５４に形成された嵌入凸部７０が嵌入される部分となり、略直方体状に窪んで形成されている。また、嵌入凹部３２は、一方の第１側面２４側及び他方の第１側面２６側は曲面状に形成されている。
【００３２】
さらに、第１ハウジング１４の外周側には、嵌入凹部３２を囲うように設けられた嵌入壁部３０が形成されている。この嵌入壁部３０は、第１前面２０、第１後面２２、一方の第１側面２４及び他方の第１側面２６で囲まれるように形成されている。なお、嵌入壁部３０は、後述する第２ハウジング５４に形成された嵌入溝部７２に嵌入される部分となる。
【００３３】
また、嵌入壁部３０の第１前面２０側及び第１後面２２側には、第１コンタクト３６が取り付けられる複数の第１コンタクト被取付部２８が形成されている。この第１コンタクト被取付部２８は、実施形態では、第１前面２０側及び第１後面２２側にそれぞれ２５か所ずつ形成され、他の嵌入壁部３０の厚さより薄く形成された溝状となっている。
【００３４】
また、第１ハウジング１４の一方の第１側面２４及び他方の第１側面２６は、それぞれガイド部としてのガイド突部３４となっている。このガイド突部３４は、第１コネクタ部材１２が第２コネクタ部材５２と嵌合される場合に、先に仮嵌合される際の位置合わせを行うガイド突部３４となっている。なお、このガイド突部３４は、第１前面２０側及び第１後面２２側に掛けて、略半円形となるように曲面状に形成されている。なお、実施形態では、ガイド突部３４は、図２に示すように、一部が切り欠かれている。
【００３５】
また、ガイド突部３４の外周側の第１上面１６には、端部の角部が丸められて形成された角丸め部３５がガイド突部３４の曲面に沿ってそれぞれ形成されている。
【００３６】
次に、主に図４を参照して、第１コンタクト３６について説明する。なお、実施形態の第１コネクタ部材１２では、第１ハウジング１４の長手方向に沿ってそれぞれ２５個（２５極）ずつ２列、合計５０個（５０極）の第１コンタクト３６が第１ハウジングに取り付けられているが、それぞれ共通する構成となっているため、１つを代表して説明する。
【００３７】
第１コンタクト３６は、図４Ａ及び、図４Ｂに示すように、一方側に、基板に接続される第１接続部３８が設けられ、他方側に、第２コネクタ部材５２に設けられた第２コンタクト８０と接触される第１接触部４０が設けられており、所定の幅と厚さを有する金属製の板状体が所定の形状に打ち抜かれ、屈曲されて形成されている。また、第１接続部３８と第１接触部４０の間は、略直角に屈曲されて形成されている。
【００３８】
第１接続部３８は、基板に形成された接点部（図示省略）と半田付け等により接続される部分となり、板状に形成されている。
【００３９】
また、第１コンタクト３６の第１接触部４０は、第１ハウジング１４の第１コンタクト被取付部２８に取り付けられるように略コ字状に屈曲された鉤状に形成されている。すなわち、第１接触部４０は、第１接続部３８から略直角に屈曲された部分から延設された第１延設部４２と、第１延設部４２の第１接続部３８側とは反対側の端部から略１８０°折り返された第１屈曲部４４と、第１屈曲部４４の第１延設部４２とは反対側から第１延設部４２の延設方向とは反対方向に向かうように延設された接触片４６とで、構成されている。このとき、第１延設部４２と接触片４６は第１屈曲部４４を挟んで対向するように配置されている。
【００４０】
また、第１コンタクト３６の第１延設部４２は、第１ハウジング１４の嵌入壁部３０の第１前面２０側又は第１後面２２側を沿うように延設され、第１屈曲部４４は、第１ハウジング１４の嵌入壁部３０の第１上面１６側を覆うように配置され、接触片４６は、嵌入凹部３２内の嵌入壁部３０に沿って配置されるようになる。このとき、接触片４６は、嵌入壁部３０との間に隙間が設けられ、第１屈曲部４４を軸に弾性変形可能とされている。
【００４１】
また、第１コンタクト３６の第１延設部４２の両側面側には、第１ハウジング１４の第１コンタクト被取付部２８に圧入される第１圧入突起４８がそれぞれ形成されている。
【００４２】
また、第１コンタクト３６の第１延設部４２及び接触片４６の第１屈曲部４４側には、それぞれ段状の第１引っ掛け部５０が形成されている。
【００４３】
また、第１ハウジング１４への第１コンタクト３６の取り付けは、図４Ｃに示すように、第１コンタクト３６の第１接続部３８が第１ハウジング１４の外側、すなわち嵌入凹部３２とは反対側に配置される、第１接触部４０の第１延設部４２が第１ハウジング１４の第１コンタクト被取付部２８に第１圧入突起４８が圧入されるように嵌め込まれるようにして行われる。
【００４４】
そして、同様にすべての第１コンタクト３６を第１ハウジング１４に取り付けることで、第１ハウジング１４への第１コンタクト３６の取り付けが完了する
【００４５】
次に、図１Ｂ、図５〜図７を参照して第２コネクタ部材５２について説明する。第２コネクタ部材５２は、複数の第２コンタクト８０と、これらの第２コンタクト８０がそれぞれ取り付けられる直方体状の第２ハウジング５４とで構成された、いわゆるリセプタクル型のコネクタ部材となっている。
【００４６】
なお、実施形態では、第２コンタクト８０は、第１コネクタ部材１２の第１コンタクト３６と対応するように５０個（５０極）設けられており、第２ハウジング５４の長尺の片側にそれぞれ２５個（２５極）ずつ設けられるように構成されている。そして、第２コネクタ部材５２は、一方側が基板１００ｂに載置され、他方側が第１コネクタ部材１２と接続されるようになる。
【００４７】
まず、図５、図６、図７Ｃを参照して第２ハウジング５４について説明する。第２ハウジング５４は、第１コネクタ部材１２が接続される側の第２上面５６と、基板に載置される側の第２底面５８と、一対の長尺の第２前面６０及び第２後面６２と、一対の短尺の一方の第２側面６４及び他方の第２側面６６とを有する略直方体状であって、例えば、樹脂材料で一体に形成されている。
【００４８】
また、第２ハウジング５４には、第２上面５６側の略中央部分に第１ハウジング１４に形成された嵌入凹部３２に嵌入される略直方体状の嵌入凸部７０と、この嵌入凸部７０を囲むように第２上面５６から第２底面５８側に向かって窪んだ嵌入溝部７２と、この嵌入溝部７２を囲うように立設された囲い部７４と、が形成されている。なお、嵌入溝部７２は、第１ハウジング１４の嵌入壁部３０が嵌入される部分となる。
【００４９】
また、囲い部７４は、第２前面６０、第２後面６２、一方の第２側面６４及び他方の第２側面６６とで構成されており、この囲い部７４の内側に第１ハウジング１４が嵌め込まれるようになる。
【００５０】
また、第２ハウジング５４の囲い部７４の第２前面６０側及び第２後面６２側には、第２コンタクト８０が取り付けられる第２コンタクト被取付部６８が形成されている。なお、第２コンタクト被取付部６８は、第２前面６０側及び第２後面６２側にそれぞれ２５箇所、合計で５０箇所形成されている。この第２コンタクト被取付部６８は、他の囲い部７４の厚さに比べて薄く形成され、溝状となっている。
【００５１】
また、第２ハウジング５４の嵌入凸部７０の第２前面６０側及び第２後面６２側の第２コンタクト被取付部６８と対応する部分には、第２コンタクト８０が嵌り込むための切れ込み部７６がそれぞれ形成されている。
【００５２】
また、第２ハウジング５４の一方の第２側面６４側及び他方の第２側面６６側の囲い部７４に形成される嵌入溝部７２は、曲面状に形成されている。そのため、曲面状に形成された部分の囲い部７４は、一方の第２側面６４側及び他方の第２側面６６側に向かって窪むように形成されている。
【００５３】
この囲い部７４の嵌入溝部７２側の曲面状に形成された部分は、第１ハウジング１４に形成された曲面状のガイド突部３４が当接すると共に、嵌合時に第１ハウジング１４に形成されたガイド突部３４をガイドする被ガイド部としてのガイド溝部７８となっている。このガイド溝部７８は、略半円形となるように曲面状に形成されている。
【００５４】
また、このガイド溝部７８が形成された部分の囲い部７４の高さは、他の囲い部７４の高さに比べて高く、すなわち、図６Ｃに示すように高さＨほど高くなるように形成されている。そのため、ガイド溝部７８が形成された部分の第２上面５６は、他の第２上面５６に比べて第２底面５８からの高さが高くなるように形成されている。このような構成とすることで、第１ハウジング１４のガイド突部３４が当接しやすくなり、案内しやすくなっている。
【００５５】
さらに、ガイド溝部７８の第２上面５６と嵌入溝部７２との間は、すり鉢状に傾斜した面取り部７９が曲面に沿ってそれぞれ形成されている。この面取り部７９が形成されることで、第１ハウジング１４の嵌入壁部３０との嵌合がより円滑に行えるようになる。
【００５６】
なお、実施形態の第２ハウジング５４では、嵌入凸部７０の一方の第２側面６４側及び他方の第２側面６６側は、ガイド溝部７８に応じて曲面状の突部となるように形成されている。また、嵌入凸部７０の一方の第２側面６４側及び他方の第２側面６６側の第２上面５６側には、テーパーが形成されている。このテーパーにより、第１ハウジング１４の嵌入凹部３２との嵌合が円滑に行えるようなる。
【００５７】
次に、図７を参照して、第２コンタクト８０について説明する、なお、第２コンタクト８０は、実施形態では、第１コンタクト３６と対応するように５０個設けられているが、それぞれ共通する構成となっているため、１つを代表して説明する。
【００５８】
第２コンタクト８０は、図７Ａ、図７Ｂに示すように、一方側に、基板に接続される第２接続部８２が設けられ、他方側に、第１コネクタ部材１２に設けられた第１コンタクト３６の第１接触部４０と接触される第２接触部８４が設けられており、所定の幅と厚さを有する金属製の板状体が打ち抜かれ、屈曲されて形成されている。
【００５９】
第２コンタクト８０は、第２接続部８２から略直角方向に屈曲されて延設された第２延設部８６と、第２延設部８６の第２接続部８２とは反対側の端部から略１８０°折り返されるように屈曲された第２屈曲部８８と、第２屈曲部８８の第２延設部８６の反対側に第２接触部８４が形成されている。
【００６０】
第２接続部８２は、基板に形成された接点部（図示省略）と半田付け等により接続される部分となり、板状に形成されている。
【００６１】
また、第２接触部８４は、第２屈曲部８８と繋がり、第２接続部８２側に向かって延設された一方の挟持部９０と、一方の挟持部９０の第２屈曲部８８とは反対側の端部から第２延設部８６から離れる方向に延設された繋ぎ部９２と、繋ぎ部９２の一方の挟持部９０とは反対側の端部から第２接続部８２とは反対方向に向かって延設された他方の挟持部９４と、で形成されている。このとき、一方の挟持部９０と他方の挟持部９４が対向するように設けられている。
【００６２】
一方の挟持部９０は、第２延設部８６側に向かうように斜め方向に傾斜して形成されている。また、他方の挟持部９４は、一方の挟持部９０側に向かって傾斜した後、一方の挟持部９０から離れるよう傾斜して形成され、略く字状にとなるようにされている。なお、一方の挟持部９０には、一部が突出した第２引っ掛け部９８が形成されている。
【００６３】
なお、第２接触部８４は第２屈曲部８８を軸に弾性変形可能となっており、また、他方の挟持部９４は、繋ぎ部９２を軸に弾性変形可能なように形成されている。
【００６４】
そして、第２接触部８４は、第１コンタクト３６の第１接触部４０の第１延設部４２と接触片４６が、第２接触部８４の一方の挟持部９０と他方の挟持部９４との間に嵌入されることで接触されるようになる。
【００６５】
さらに、第２コンタクト８０の第２延設部８６と一方の挟持部９０との間に、第２ハウジング５４の第２コンタクト被取付部６８が挿入されることで、第２ハウジング５４に第２コンタクト８０が取り付けられるようになる。
【００６６】
また、第２コンタクト８０の第２延設部８６の両側面側には、第２ハウジング５４に形成された第２コンタクト被取付部６８に圧入される第２圧入突起９６がそれぞれ形成されている。
【００６７】
また、第２コンタクト８０の一方の挟持部９０の第２屈曲部８８には、段状の第２引っ掛け部９８が形成されている。
【００６８】
なお、第２コンタクト８０の第２ハウジング５４への取り付けは、図７Ｃに示すように、第２コンタクト８０の第２接続部８２が第２ハウジング５４の外側となるように配置させた後、第２コンタクト８０の第２延設部８６と一方の挟持部９０との間に第２ハウジング５４の囲い部７４に形成された第２コンタクト被取付部６８を挿入する。このとき、第２コンタクト８０の第２延設部８６の両側面側に形成された第２圧入突起９６が第２ハウジング５４の第２前面６０側及び第２後面６２側の第２コンタクト被取付部６８に圧入され、取り付けられる。
【００６９】
なお、第２コンタクト８０の第２接触部８４は、第２ハウジング５４の嵌入溝部７２に嵌り込むように配置され、第２接触部８４の一方の挟持部９０は囲い部７４に嵌り込み、また、他方の挟持部９４は、嵌入凸部７０に形成された切れ込み部７６に嵌り込むように配置される。
【００７０】
そして、同様にすべての第２コンタクト８０を第２ハウジング５４に取り付けることで、第２ハウジング５４への第２コンタクト８０の取り付けが完了する。
【００７１】
次に、図８〜図１０を参照して、第１コネクタ部材１２と第２コネクタ部材５２との嵌合について説明する。なお、図８〜図１０では、説明のため、第１コネクタ部材１２と第２コネクタ部材５２にそれぞれ取り付けられている基板は省略している。
【００７２】
まず、図８に示すように、第１コネクタ部材１２と第２コネクタ部材５２を嵌合させるために、第１コネクタ部材１２と第２コネクタ部材５２の位置合わせを行い、仮嵌合を行う。
【００７３】
このとき、図８Ａに示すように、第１コネクタ部材１２は、第２コネクタ部材５２に対して上下反対向き、すなわち、第１コネクタ部材１２の第１上面１６と第２コネクタ部材５２の第２上面５６が向かい合わせとなるようにして行われる。また、実施形態では、第２コネクタ部材５２が下側に配置され、上側に配置された第１コネクタ部材１２を第２コネクタ部材５２に対して移動させることで位置合わせが行われる。
【００７４】
なお、第１コネクタ部材１２は、図８Ａに示すように、第２コネクタ部材５２に上下方向、すなわち高さ方向に対して傾いた状態で行われ、片方側、実施形態では、第１ハウジング１４の他方の第１側面２６側に形成されたガイド突部３４と第２ハウジング５４の他方の第２側面６６側に形成されたガイド溝部７８とが、先に当接されるようになる。
【００７５】
そして、図８Ｂに示すように、第１コネクタ部材１２の一方の端部、実施形態では、第１ハウジング１４の他方の第１側面２６側のガイド突部３４を第２コネクタ部材５２の第２ハウジング５４の他方の第２側面６６側のガイド溝部７８と、が当接するように移動される。
【００７６】
このとき、第１ハウジング１４の他方の第１側面２６側のガイド突部３４と第２ハウジング５４の他方の第２側面６６側のガイド溝部７８は、それぞれ曲面状に形成されているため、第１ハウジング１４のガイド突部３４が第２ハウジング５４のガイド溝部７８に嵌るように誘い込むことができるようになる（図８Ｃ参照）。
【００７７】
また、第２ハウジング５４のガイド溝部７８が形成された部分の囲い部７４は、ガイド溝部７８が形成されていない他の囲い部７４よりも高く形成されているため、ガイド突部３４を当接させやすくなっている（図６Ｃ、図８Ａ参照）。
【００７８】
また、第１ハウジング１４の他方の第１側面２６側のガイド突部３４が、第２ハウジング５４の他方の第２側面６６側のガイド溝部７８に当接された状態において、図９に示すように、第１コネクタ部材１２の長手方向と第２コネクタ部材５２の長手方向とが、平面視で角度θを有した状態で当接され、仮嵌合がされる場合がある。
【００７９】
このような場合であっても、実施形態の第１コネクタ部材１２の第１ハウジング１４のガイド突部３４と第２コネクタ部材５２の第２ハウジング５４のガイド溝部７８はそれぞれ曲面状に形成されていることで、当接された部分の第１コネクタ部材１２を第２コネクタ部材５２に対して引っ掛かることなく円滑に回転させることができるようになる。
【００８０】
そのため、第２コネクタ部材５２に対して第１コネクタ部材１２を回転させることで、第１ハウジング１４の一方の第１側面２４側のガイド突部３４と第２ハウジング５４の一方の第２側面６４側のガイド溝部７８との位置合わせを容易に行うことができるようになる。
【００８１】
なお、第１ハウジング１４のガイド突部３４が第２ハウジング５４のガイド溝部７８に誘い込まれることで、曲面に沿って自動的に正規位置へ補正されやすくなっている。
【００８２】
そして、図１０に示すように、第１コネクタ部材１２と第２コネクタ部材５２の位置合わせがされた後、第１コネクタ部材１２を第２コネクタ部材５２側に押圧し、第１コネクタ部材１２と第２コネクタ部材５２とを嵌合させる。
【００８３】
このとき、図１０Ｂに示すように、第１コネクタ部材１２の第１ハウジング１４の嵌入凹部３２に第２ハウジング５４の嵌入凸部７０が嵌入され、第１ハウジング１４の嵌入壁部３０が第２ハウジング５４の嵌入溝部７２に嵌入されるようになる。
【００８４】
また、図１０Ｃに示すように、第１ハウジング１４の嵌入壁部３０の第１コンタクト被取付部２８に取り付けられた第１コンタクト３６が、第２ハウジング５４の囲い部７４の第２コンタクト被取付部６８に取り付けられた第２コンタクト８０に接触されるようになる。このとき、第１コンタクト３６の第１接触部４０は、第２コンタクト８０の一方の挟持部９０が第２屈曲部８８に対して弾性変形されることで移動し、第１接触部４０との位置合わせが行われるようになる。また、第１コンタクト３６の第１接触部４０が第２コンタクト８０の第２接触部８４の一方の挟持部９０と他方の挟持部９４との間に挿入されることで、第２接触部８４の他方の挟持部９４が弾性変形されて、広がる方向に移動される。
【００８５】
さらに、第１コンタクト３６の第１接触部４０と第２コンタクト８０の第２接触部８４との接触は、第１コンタクト３６の第１接触部４０の第１延設部４２が第２コンタクト８０の第２接触部８４の一方の挟持部９０に接触され、第１接触部４０の接触片４６と第２接触部８４の他方の挟持部９４と接触されるようになる。このとき、第１接触部４０の接触片４６が第１屈曲部４４を軸に弾性変形される。また、第１接触部４０の第１屈曲部４４が第２接触部８４の繋ぎ部９２とも接触されるようになる。
【００８６】
以上で、第１コネクタ部材１２と第２コネクタ部材５２の接続が完了する。
【００８７】
また、第１コネクタ部材１２と第２コネクタ部材５２を嵌合させ、第１ハウジング１４のガイド突部３４を第２ハウジング５４のガイド溝部７８に誘い込む際に、上方、すなわち、第２ハウジング５４の第２上面５６側と第１ハウジング１４の第１上面１６側とを近接させた場合でも、第１ハウジング１４のガイド突部３４に形成された曲面状の角丸め部３５と第２ハウジングのガイド溝部７８に形成された曲面状の面取り部７９がそれぞれ当接し、この角丸め部３５が面取り部７９の傾斜に沿って、移動されることで、第１ハウジング１４と第２ハウジング５４とを円滑に嵌合させることができるようになる。
【００８８】
なお、実施形態では、第２ハウジング５４のガイド溝部７８に面取り部７９が形成されているが、これに限らず、第１ハウジング１４のガイド突部３４の角丸め部３５を傾斜上に面取りしてもよく、また、ガイド突部及びガイド溝部の両方を傾斜状に面取りするようにしてもよい。
【００８９】
また、第１コネクタ部材１２と第２コネクタ部材５２が嵌合された状態から、外される方向に移動される場合において、第１コンタクト３６の第１接触部４０に形成された各第１引っ掛け部５０が、第２コンタクトの第２接触部８４に形成された第２引っ掛け部９８及び他方の挟持部９４のく字状の突出された部分のそれぞれ引っ掛かることで、第１コネクタ部材１２と第２コネクタ部材５２の抜け止めがされるようになる。
【００９０】
なお、第１コネクタ部材１２と第２コネクタ部材５２を外す場合は、第１コネクタ部材１２を第１コンタクト３６の第１接触部４０と第２コンタクト８０の第２接触部８４との各引っ掛け部５０、９８等が引っ掛かるより大きな力で引き離すことで第１コネクタ部材１２と第２コネクタ部材５２を外すことができる。
【００９１】
なお、実施形態の第１ハウジング１４では、図２、図３等に示すように、曲面状に形成されたガイド突部３４の一部が切り掛かれているが、これに限らず、図１１に示すように、ガイド突部３４'をすべて曲面状に形成することもできる。このように第１ハウジング１４のガイド突部３４'をすべて曲面状に形成することで、第２ハウジング５４のガイド溝部７８に当接させる場合や、当接された後に回転させる場合により円滑に行うことができるようになる。
【００９２】
また、第１コンタクト３６及び第２コンタクト８０は、それぞれ５０個に限らず、設計に合わせた任意の個数を取り付けるようにすることができる。
【００９３】
［応用例］
なお、実施形態のコネクタ１０では、第１コネクタ部材１２及び第２コネクタ部材５２がそれぞれ基板１００ａ、１００ｂに取り付けられ、基板１００ａと基板１００ｂとを繋ぐ場合を説明したが、これに限らず、応用例として、第１コネクタ部材１２Ａを電線１０２が設けられたコネクタ部材とし、第２コネクタ部材５２Ａを基板１００ｂに取り付けられたコネクタ部材とし、基板１００ｂと電線１０２を接続させる場合のコネクタ１０Ａとすることもできる。
【００９４】
応用例のコネクタ１０Ａは、図１２に示すように、一方に、複数の電線１０２が装着された第１コンタクト（図示省略）と、第１コンタクトが収容された第１ハウジング１４Ａと、を有する第１コネクタ部材１２Ａと、他方に、基板１００ｂに取り付けられた複数の第２コンタクト（図示省略）と、第２コンタクトが取り付けられた第２ハウジング５４Ａと、を有する第２コネクタ部材５２Ａと、で構成されている。
【００９５】
そして、第１コネクタ部材１２Ａを構成する第１ハウジング１４Ａの第２コネクタ部材５２Ａと嵌合される側には、第１コンタクトが内側に配置されるように形成された略直方体状の嵌入壁部３０Ａを有しており、この嵌入壁部３０Ａの一対の短尺な面がそれぞれ曲面状に形成されたガイド部としてのガイド突部３４Ａとなるように形成されている。なお、この一対の短尺な面は、実施形態の一方の第１側面２４及び他方の第１側面２６に対応する面となっている。
【００９６】
一方の、第２コネクタ部材５２Ａを構成する第２ハウジング５４Ａは、略直方体状に形成され、中央部分に凹んだ嵌入溝部７２Ａが形成され、この嵌入溝部７２Ａの周囲が立設された囲い部７４Ａとなっており、この囲い部７４Ａの第１ハウジング１４Ａに形成されたガイド突部３４Ａが当接される部分、すなわち、一対の短尺な面側の囲い部７４Ａの嵌入溝部７２Ａ側に、曲面状の被ガイド部としてのガイド溝部７８Ａが形成されている。
【００９７】
このとき、第２ハウジング５４Ａのガイド溝部７８Ａに傾斜状の第２面取り部７９Ａを形成してもよい。
【００９８】
このような構成することで、応用例のコネクタ１０Ａにおいても、第１コネクタ部材１２Ａと第２コネクタ部材５２Ａを嵌合させる場合において、上述した実施形態と同様に、位置合わせの際に、第１ハウジング１４Ａに形成されたガイド突部３４Ａを、第２ハウジング５４Ａに形成されたガイド溝部７８Ａに当接させた後、回転方向への移動が可能となることで嵌合位置への位置合わせを容易に行うことができ、また、コネクタ部材の破損を抑制することができるようになる。
【符号の説明】
【００９９】
１０、１０Ａ：コネクタ  １２、１２Ａ：第１コネクタ部材  １４、１４Ａ：第１ハウジング  １６：第１上面  １８：第１底面  ２０：第１前面  ２２：第１後面  ２４：一方の第１側面  ２６：他方の第１側面  ２８：第１コンタクト被取付部  ３０、３０Ａ：嵌入壁部  ３２：嵌入凹部  ３４、３４Ａ：ガイド突部（ガイド部）  ３５：角丸め部  ３６：第１コンタクト  ３８：第１接続部  ４０：第１接触部  ４２：第１延設部  ４４：第１屈曲部  ４６：接触片  ４８：第１圧入突起  ５０：第１引っ掛け部  ５２、５２Ａ：第２コネクタ部材  ５４、５４Ａ：第２ハウジング  ５６：第２上面  ５８：第２底面  ６０：第２前面  ６２：第２後面  ６４：一方の第２側面  ６６：他方の第２側面  ６８：第２コンタクト被取付部  ７０：嵌入凸部  ７２、７２Ａ：嵌入溝部  ７４、７４Ａ：囲い部  ７６：切れ込み部  ７８、７８Ａ：ガイド溝部（被ガイド部）  ７９、７９Ａ：第２面取り部  ８０：第２コンタクト  ８２：第２接続部  ８４：第２接触部  ８６：第２延設部  ８８：第２屈曲部  ９０：一方の挟持部  ９２：繋ぎ部  ９４：他方の挟持部  ９６：第２圧入突起  ９８：第２引っ掛け部  １００ａ、１００ｂ：基板  １０２：電線
【図１】
2018078015.tif 000003
【図２】
2018078015.tif 000004
【図３】
2018078015.tif 000005
【図４】
2018078015.tif 000006
【図５】
2018078015.tif 000007
【図６】
2018078015.tif 000008
【図７】
2018078015.tif 000009
【図８】
2018078015.tif 000010
【図９】
2018078015.tif 000011
【図１０】
2018078015.tif 000012
【図１１】
2018078015.tif 000013
【図１２】
2018078015.tif 000014